(57)【要約】【課題】厚みが薄く、複数の非接触型データ受送信体を財布や定期入れなどの中に収納した状態で、所望の非接触型データ受送信体のみに対して情報の書込／読出を可能とする磁性シートを提供する。【解決手段】本発明の磁性シート１０は、金属基材１１と、金属基材１１の一方の面１１ａの略半域に設けられた第一磁性層１２と、金属基材１１の他方の面１１ｂの全域に設けられた第二磁性層１３とを備えてなることを特徴とする。【選択図】図１
2008294347.tif 000002
【特許請求の範囲】
【請求項１】
金属基材と、該金属基材の一方の面の略半域に設けられた第一磁性層と、前記金属基材の他方の面の全域に設けられた第二磁性層とを備えてなることを特徴とする磁性シート。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）用途の情報記録メディアのように、電磁波を媒体とし、非接触状態にて、外部から情報を受信し、また外部に情報を送信できるようにした非接触型ＩＣカードなどの非接触型データ受送信体に対して情報の書込／読出の誤りを防止するための磁性シートに関し、特に、複数枚の非接触型ＩＣカードを財布や定期入れなどの中に収納した状態で、所望の非接触型ＩＣカードのみに対して情報の書込／読出を可能とする磁性シートに関する。
【背景技術】
【０００２】
非接触型データ受送信体の一例である非接触型ＩＣカードは、基材と、その一方の面に設けられ互いに接続されたアンテナおよびＩＣチップとから構成されるインレットを備えており、情報書込／読出装置からの電磁波を受信すると共振作用によりアンテナに起電力が発生し、この起電力により非接触型ＩＣカード内のＩＣチップが起動し、このＩＣチップ内の情報を信号化し、この信号が非接触型ＩＣカードのアンテナから発信される。
非接触型ＩＣカードから発信された信号は、情報書込／読出装置のアンテナで受信され、コントローラーを介してデータ処理装置へ送られ、識別などのデータ処理が行われる。
【０００３】
近年、このような非接触型ＩＣカードは、電車やバスなどの公共交通機関の定期券や乗車券、コンビニエンスストアやスーパーストアなどの小売店における電子マネーとしての用途が拡大しつつある。それに伴って、個人が所有する非接触型ＩＣカードの枚数も増加する傾向にある。
通常、非接触型ＩＣカードは、必要に応じて財布や定期入れなどから取り出して使用されるか、あるいは、財布や定期入れなどの中に収納した状態で使用される。特に、複数の非接触型ＩＣカードを、財布や定期入れなどの中に重ねたまま収納した状態で使用すると、非接触型ＩＣカードに誤って情報の書込／読出が行われることがあるという問題があった。
【０００４】
そこで、従来、複数の非接触型ＩＣカードをそれぞれ収納する複数のカード収納部を備え、カード収納部間に隔壁部を設けるとともに、隔壁部に導電体部を設け、かつ隔壁部に導電体部を挟んで第１および第２の磁性体を設けた非接触型ＩＣカードホルダーが開示されている（例えば、特許文献１参照）。
【特許文献１】特許第３６３０００６号公報
【発明の開示】
【発明が解決しようとする課題】
【０００５】
しかしながら、特許文献１に開示されている非接触型ＩＣカードホルダーでは、例えば、４枚の非接触型ＩＣカードを収納する場合、導電体部を挟む第１および第２の磁性体からなる隔壁部の両面にそれぞれカードポケットを設けてなるＩＣカードホルダーを２つ、接続部において折り曲げ可能に連接していた。そのため、この非接触型ＩＣカードホルダーは、構成部材が多く、厚みが大きいため、財布や定期入れなどの中に収納して使用することができないという不便さがあった。
【０００６】
本発明は、前記事情に鑑みてなされたものであって、厚みが薄く、複数の非接触型データ受送信体を財布や定期入れなどの中に収納した状態で、所望の非接触型データ受送信体のみに対して情報の書込／読出を可能とする磁性シートを提供することを目的とする。
【課題を解決するための手段】
【０００７】
本発明の磁性シートは、金属基材と、該金属基材の一方の面の略半域に設けられた第一磁性層と、前記金属基材の他方の面の全域に設けられた第二磁性層とを備えてなることを特徴とする。
【発明の効果】
【０００８】
本発明の磁性シートは、金属基材と、該金属基材の一方の面の略半域に設けられた第一磁性層と、前記金属基材の他方の面の全域に設けられた第二磁性層とを備えてなるので、厚みが薄く、複数の非接触型データ受送信体を財布や定期入れなど収納体内に収納した状態で、所望の非接触型データ受送信体のみに対して情報の書込／読出をすることができる。また、本発明の磁性シートを折り曲げる方向を変える、すなわち、磁性シートの表裏を変えて使用することにより、情報の書込／読出を可能とするＩＣカードを制限することができる。
【発明を実施するための最良の形態】
【０００９】
本発明の磁性シートの最良の形態について説明する。
なお、この形態は、発明の趣旨をより良く理解させるために具体的に説明するものであり、特に指定のない限り、本発明を限定するものではない。
【００１０】
図１は、本発明の磁性シートの一実施形態を示す概略図であり、（ａ）は平面図、（ｂ）は（ａ）のＡ−Ａ線に沿う断面図である。
この実施形態の磁性シート１０は、金属基材１１、この金属基材１１の一方の面１１ａのほぼ半域に設けられた第一磁性層１２、および、金属基材１１の他方の面１１ｂの全域に設けられた第二磁性層１３からなる積層シート１４と、この積層シート１４を挟み、その表面全面を被覆する第一被覆材１５および第二被覆材１６とから概略構成されている。
【００１１】
ここで、金属基材１１の一方の面１１ａのほぼ半域に第一磁性層１２が設けられているとは、金属基材１１の一方の面１１ａにおいて、その長手方向の一端１１ｃから中央部近傍に渡って第一磁性層１２が設けられていることをいう。
また、磁性シート１０の大きさは、第一磁性層１２と金属基材１１との境界近傍にて、その長手方向に折り曲げた場合に、第一磁性層１２および第二磁性層１３の大きさが、磁性シート１０の間に挟み込まれる非接触型データ受送信体と同等程度となるようになっている。
【００１２】
金属基材１１としては、アルミニウム、銀、銅などの金属からなるフィルム状、シート状、繊維状の金属を編んで作製した布状のものなどが用いられる。
【００１３】
第一磁性層１２および第二磁性層１３をなす複合体は、磁性微粒子からなるフィラーと、樹脂とから概略構成されている。
この複合体は、磁性微粒子からなるフィラーと、樹脂と、添加剤と、溶媒とを含む磁性塗料を塗布、乾燥することによって、磁性微粒子がほぼ均一に分散した形態に成形される。
【００１４】
また、磁性微粒子としては、粉末状の磁性体粉末、または、この磁性体粉末をボールミルなどで微細化して粉末を成形した後、この粉末を機械的に扁平化して得られた扁平状のフレークなどからなる磁性体フレークが挙げられる。これらの中でも、磁性微粒子としては、扁平状のものが好ましい。磁性微粒子が扁平状であれば、磁性シート１０を第一被覆材１５の表面側から見て、第一磁性層１２および第二磁性層１３を構成する多数の磁性微粒子が、少なくともその一部が互いに重なり、隣接した１つの磁性体を形成しやすい。したがって、より磁束が第一磁性層１２を通って、この磁性シート１０の第一被覆材１５側に配された非接触型データ受送信体のアンテナに捕捉され易くなる。同様に、磁束が第二磁性層１３を通って、この磁性シート１０の第二被覆材１６側に配された非接触型データ受送信体のアンテナに捕捉され易くなる。
【００１５】
さらに、磁性体粉末としては、例えば、センダスト（Ｆｅ−Ｓｉ−Ａｌ合金）粉末、カーボニル鉄粉末、パーマロイなどのアトマイズ粉末、還元鉄粉末などが挙げられる。磁性体フレークとしては、例えば、前記磁性体粉末をボールミルなどで微細化して粉末を成形した後、この粉末を機械的に扁平化して得られたフレークや、鉄系またはコバルト系アモルファス合金の溶湯を水冷銅板に衝突させて得られたフレークなどが挙げられる。これらの中でも、磁性微粒子としては、センダストからなる磁性体粉末または磁性体フレークが好ましく、センダストからなる磁性体フレークがより好ましい。磁性微粒子が、センダストからなる磁性体粉末または磁性体フレークであれば、これらを構成要素として含む磁性層１４の飽和磁束密度および透磁率が高くなるので、より磁束が磁性層を通ってアンテナに捕捉され易くなる。
【００１６】
なお、第一磁性層１２および第二磁性層１３をなす磁性微粒子の形状は、その全てが粉末状あるいは扁平状のいずれか一方である必要はない。第一磁性層１２および第二磁性層１３には、粉末状の磁性微粒子と扁平状の磁性微粒子が混在していてもよく、このように形状の異なる磁性微粒子が混在していても、磁性シート１０は十分に効果を発揮する。
【００１７】
第一磁性層１２および第二磁性層１３をなす複合体を構成する樹脂としては、熱可塑性樹脂、熱硬化性樹脂、反応型樹脂などが挙げられる。
熱可塑性樹脂としては、例えば、塩化ビニル、酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリ弗化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリウレタン樹脂、ポリエステル樹脂、アミノ樹脂、あるいは、スチレン系ゴム、フッ素系ゴム、シリコン系ゴム、エチレン・プロピレン共重合体ゴムなどのポリマー系の合成ゴム材料などが挙げられる。
【００１８】
熱硬化性樹脂または反応型樹脂としては、例えば、フェノール樹脂、エポキシ樹脂、ポリウレタン硬化型樹脂、尿素樹脂、メラミン樹脂、アルキッド樹脂、シリコーン樹脂、ポリアミン樹脂、尿素ホルムアルデヒド樹脂などが挙げられる。
【００１９】
また、第一磁性層１２および第二磁性層１３をなす複合体には、第一磁性層１２および第二磁性層１３に粘着性を付与するために、各種粘着剤が含まれていてもよい。
【００２０】
また、第一磁性層１２および第二磁性層１３をなす複合体を形成するために用いられる磁性塗料に含まれる添加剤としては、粘度調整剤、消泡剤、レベリング剤などが挙げられる。
【００２１】
さらに、この磁性塗料に含まれる溶媒としては、シクロヘキサノン、アセトン、ベンゼン系、エチル系などの有機溶媒が挙げられる。
【００２２】
第一被覆材１５、第二被覆材１６としては、透明あるいは不透明の熱可塑性樹脂からなるフィルム状あるいはシート状のものが用いられる。このような熱可塑性樹脂としては、例えば、ポリエチレンテレフタレート（ＰＥＴ）などのポリエステル系樹脂、ポリカーボネート系樹脂、ポリアミド系樹脂、ポリプロピレン（ＰＰ）やポリエチレン（ＰＥ）などのポリオレフィン系樹脂、アクリル系樹脂などが挙げられる。
【００２３】
この実施形態の磁性体シート１０を製造するには、先ず、スピンコート法、ロールコート法、スプレーコート法、バーコート法、ディップコート法、フローコート法などの塗布方法により、金属基材１１の一方の面１１ａに、上記の磁性体粉末を含有する磁性塗料を塗布して塗布膜を形成する。
次いで、この塗布膜を、大気中にて乾燥するか、あるいは、乾燥・熱処理し、第一磁性層１２を形成する。
次いで、同様にして、金属基材１１の他方の面１１ｂに、上記の磁性体粉末を含有する磁性塗料を塗布して塗布膜を形成し、この塗布膜を、大気中にて乾燥するか、あるいは、乾燥・熱処理し、第二磁性層１３を形成し、金属基材１１、第一磁性層１２および第二磁性層１３からなる積層シート１４を作製する。
次いで、第一被覆材１５と第二被覆材１６により、この積層シート１４を挟み込んだ後、（１）積層シート１４、第一被覆材１５および第二被覆材１６から構成される積層物を、熱圧処理し、第一被覆材１５と第二被覆材１６を融着するか、あるいは、（２）積層シート１４と、第一被覆材１５および第二被覆材１６との間に介在させた接着剤を加熱、紫外線照射、電子線照射、エージング〔放置して時間とともに硬化反応をさせていくこと〕処理などにより硬化する、ことにより、積層シート１４、第一被覆材１５および第二被覆材１６が一体化してなる磁性シート１０が得られる。
【００２４】
次に、図１〜５を参照して、この実施形態の磁性シートの作用について、非接触型データ受送信体として、非接触型ＩＣカードを複数枚使用する場合を例に挙げて説明する。
図２〜５は、この実施形態の磁性シートの使用方法を示す概略断面図である。
【００２５】
（第一の使用方法）
図２に示すように、第一被覆材１５が内側になるように、すなわち、第一磁性層１２が内面側となるように、第一磁性層１２と金属基材１１との境界近傍にて、磁性シート１０を折り曲げる。
次いで、使用しない非接触型ＩＣカード２３を磁性シート１０で挟み込んで、その内面側に収納し、使用する非接触型ＩＣカード２１を第二被覆材１６の第一磁性層１２と対向する外面上に配し、使用する非接触型ＩＣカード２２を第二被覆材１６の第一磁性層１２と対向しない外面上に配する。
次いで、図３に示すように、この状態で、磁性シート１０および非接触型ＩＣカード２１，２２，２３を、財布や定期入れなどの収納体３０に収納する。
【００２６】
この状態で、収納体３０の一方の面３０ａに情報書込／読出装置のアンテナを対向させると、非接触型ＩＣカード２１の背面（第二被覆材１６と接する面）側には第二磁性層１３が存在するので、情報書込／読出装置からの電磁誘導により非接触型ＩＣカード２１のアンテナに電流が流れる。
そして、非接触型ＩＣカード２１のアンテナを流れる電流が、非接触型ＩＣカード２１のＩＣチップに供給されることにより、情報書込／読出装置から、アンテナを介してＩＣチップに情報が書き込まれ、あるいは、ＩＣチップに書き込まれた情報がアンテナを介して情報書込／読出装置にて読み出される。
【００２７】
同様に、収納体３０の他方の面３０ｂに情報書込／読出装置のアンテナを対向させると、非接触型ＩＣカード２２の背面（第二被覆材１６と接する面）側には第二磁性層１３が存在するので、情報書込／読出装置からの電磁誘導により非接触型ＩＣカード２２のアンテナに電流が流れる。
そして、非接触型ＩＣカード２２のアンテナを流れる電流が、非接触型ＩＣカード２２のＩＣチップに供給されることにより、情報書込／読出装置から、アンテナを介してＩＣチップに情報が書き込まれ、あるいは、ＩＣチップに書き込まれた情報がアンテナを介して情報書込／読出装置にて読み出される。
【００２８】
一方、磁性シート１０の内面側に収納された非接触型ＩＣカード２３は、その周囲が金属基材１１に覆われているので、収納体３０の一方の面３０ａあるいは他方の面３０ｂに情報書込／読出装置のアンテナを対向させても、非接触型ＩＣカード２３に対して、情報の書込／読出を行うことができない。
【００２９】
また、収納体３０の一方の面３０ａと他方の面３０ｂの間には、金属基材１１が存在するので、一方の面３０ａに情報書込／読出装置のアンテナを対向させた場合、誤って他方の面３０ｂ側の非接触型ＩＣカード２２に対して、情報の書込／読出を行うことがない。
同様に、他方の面３０ｂに情報書込／読出装置のアンテナを対向させた場合、誤って一方の面３０ａ側の非接触型ＩＣカード２１に対して、情報の書込／読出が行われることがない。
【００３０】
（第二の使用方法）
図４に示すように、第二被覆材１６が内側になるように、すなわち、第二磁性層１３が内面側となるように、第一磁性層１２と金属基材１１との境界近傍にて、磁性シート１０を折り曲げる。
次いで、使用しない非接触型ＩＣカード２３を磁性シート１０で挟み込んで、その内面側に収納し、使用する非接触型ＩＣカード２１を第一被覆材１５の第一磁性層１２と対向する外面上に配し、使用する非接触型ＩＣカード２２を第一被覆材１５の第一磁性層１２と対向しない外面上に配する。
次いで、図５に示すように、この状態で、磁性シート１０および非接触型ＩＣカード２１，２２，２３を、財布や定期入れなどの収納体３０に収納する。
【００３１】
この状態で、収納体３０の一方の面３０ａに情報書込／読出装置のアンテナを対向させると、非接触型ＩＣカード２１の背面（第一被覆材１５と接する面）側には第一磁性層１２が存在するので、情報書込／読出装置からの電磁誘導により非接触型ＩＣカード２１のアンテナに電流が流れる。
そして、非接触型ＩＣカード２１のアンテナを流れる電流が、非接触型ＩＣカード２１のＩＣチップに供給されることにより、情報書込／読出装置から、アンテナを介してＩＣチップに情報が書き込まれ、あるいは、ＩＣチップに書き込まれた情報がアンテナを介して情報書込／読出装置にて読み出される。
【００３２】
一方、収納体３０の他方の面３０ｂに情報書込／読出装置のアンテナを対向させても、非接触型ＩＣカード２２の背面（第一被覆材１５と接する面）側には金属基材１１が存在するので、非接触型ＩＣカード２２に対して、情報の書込／読出を行うことができない。
【００３３】
また、磁性シート１０の内面側に収納された非接触型ＩＣカード２３は、その周囲が金属基材１１に覆われているので、収納体３０の一方の面３０ａあるいは他方の面３０ｂに情報書込／読出装置のアンテナを対向させても、非接触型ＩＣカード２３に対して、情報の書込／読出を行うことができない。
【００３４】
また、収納体３０の一方の面３０ａと他方の面３０ｂの間には、金属基材１１が存在するので、他方の面３０ｂに情報書込／読出装置のアンテナを対向させた場合、誤って一方の面３０ａ側の非接触型ＩＣカード２１に対して、情報の書込／読出が行われることがない。
【００３５】
この実施形態の磁性シート１０は、フィルム状あるいはシート状の金属基材１１、磁性塗料により形成され、金属基材１１の一方の面１１ａのほぼ半域に設けられた第一磁性層１２、および、金属基材１１の他方の面１１ｂの全域に設けられた第二磁性層１３からなる積層シート１４と、この積層シート１４を挟み、その表面全面を被覆し、熱可塑性樹脂からなる第一被覆材１５および第二被覆材１６とから構成されているので、厚みが薄く、複数の非接触型ＩＣカード２１，２２，２３を財布や定期入れなど収納体３０内に収納した状態で、所望の非接触型ＩＣカード２１，２２のみに対して情報の書込／読出をすることができる。また、第一の使用方法または第二の使用方法に示したように、磁性シート１０を折り曲げる方向を変える、すなわち、磁性シート１０の表裏を変えて使用することにより、情報の書込／読出を可能とするＩＣカードを制限することができる。
【００３６】
なお、この実施形態では、第一被覆材１５と第二被覆材１６により、この積層シート１４を挟み込んでなる磁性シート１０を例示したが、本発明の磁性シートはこれに限定されない。本発明の磁性シートは、積層シートのみからなる構成であってもよい。
また、この実施形態の磁性シート１０には、金属基材１１の外面（第一被覆材１５と接する面）、第一磁性層１２の外面（第一被覆材１５と接する面）または第二磁性層１３の外面（第二被覆材１６と接する面）に、それぞれを識別するための印刷情報を設けておいてもよい。
【図面の簡単な説明】
【００３７】
【図１】本発明の磁性シートの一実施形態を示す概略図であり、（ａ）は平面図、（ｂ）は（ａ）のＡ−Ａ線に沿う断面図である。
【図２】本発明の磁性シートの一実施形態における第一の使用方法を示す概略断面図である。
【図３】本発明の磁性シートの一実施形態における第一の使用方法を示す概略断面図である。
【図４】本発明の磁性シートの一実施形態における第二の使用方法を示す概略断面図である。
【図５】本発明の磁性シートの一実施形態における第二の使用方法を示す概略断面図である。
【符号の説明】
【００３８】
１０・・・磁性シート、１１・・・金属基材、１２・・・第一磁性層、１３・・・第二磁性層、１４・・・積層シート、１５・・・第一被覆材、１６・・・第二被覆材。
【図１】
2008294347.tif 000003
【図２】
2008294347.tif 000004
【図３】
2008294347.tif 000005
【図４】
2008294347.tif 000006
【図５】
2008294347.tif 000007